(57)【要約】【課題】画質を高めることができる表示装置、バリア装置、および電子機器を得る。【解決手段】映像を表示する表示部と、光を透過および遮断する、第１の方向に延伸し第１の方向と交差する第２の方向に並設された複数の液晶バリアを有するバリア部とを備える。上記バリア部は、液晶層と、各液晶バリアに対応する領域に設けられた第１の電極と、複数の第１の電極と液晶層との間に、複数の第１の電極と対向して共通に設けられた第２の電極とを有し、第２の電極は、第２の方向に並設された複数のスリット配列領域を含み、各スリット配列領域には、同じ方向に延伸する複数のスリットが並設されている。【選択図】図７
2013235159.tif 000002
【特許請求の範囲】
【請求項１】
映像を表示する表示部と、
光を透過および遮断する、第１の方向に延伸し前記第１の方向と交差する第２の方向に並設された複数の液晶バリアを有するバリア部と
を備え、
前記バリア部は、
液晶層と、
各液晶バリアに対応する領域に設けられた第１の電極と、
複数の前記第１の電極と前記液晶層との間に、複数の前記第１の電極と対向して共通に設けられた第２の電極と
を有し、
前記第２の電極は、前記第２の方向に並設された複数のスリット配列領域を含み、
各スリット配列領域には、同じ方向に延伸する複数のスリットが並設されている
表示装置。
【請求項２】
各第１の電極は、互いに隣り合う所定数の前記スリット配列領域に対応する領域に形成されている
請求項１に記載の表示装置。
【請求項３】
前記第２の方向において隣り合う前記スリット配列領域の間隔は、前記第２の方向において隣り合う前記第１の電極の間隔の３倍よりも短い
請求項２に記載の表示装置。
【請求項４】
前記所定数のスリット配列領域に属する複数のスリットは、対応する前記第１の電極に相当する領域内に形成されている。
請求項２に記載の表示装置。
【請求項５】
前記所定数のスリット配列領域に属する複数のスリットは、それぞれの一部が、対応する前記第１の電極に相当する領域からはみ出して形成されている。
請求項２に記載の表示装置。
【請求項６】
前記所定数は偶数である
請求項２に記載の表示装置。
【請求項７】
一のスリット配列領域に属するスリットは、その一のスリット配列領域と隣り合うスリット配列領域に属するスリットと、異なる方向に延伸する
請求項１に記載の表示装置。
【請求項８】
各第１の電極にはバリア駆動信号が印加され
前記第２の電極には直流電圧が印加される
請求項１に記載の表示装置。
【請求項９】
前記表示部は液晶表示部であり、
前記バリア部は、複数の第１系列の液晶バリアおよび複数の第２系列の液晶バリアを有する
請求項１に記載の表示装置。
【請求項１０】
第１の表示モードおよび第２の表示モードを含む複数の表示モードを有し、
前記第１の表示モードでは、前記液晶表示部は複数の視点画像を表示し、前記バリア部は、前記複数の第１系列の液晶バリアを透過状態にするとともに、前記複数の第２系列の液晶バリアを遮断状態にすることにより、各視点画像からの光線または各視点画像に向かう光線を、それぞれ対応する角度方向に規制するように動作し、
前記第２の表示モードでは、前記液晶表示部は単一の視点画像を表示し、前記バリア部は、前記複数の第１系列の液晶バリアおよび前記複数の第２系列の液晶バリアを透過状態にすることにより、前記単一の視点画像からの光線または前記単一の視点画像に向かう光線をそのまま透過させるように動作する
請求項９に記載の表示装置。
【請求項１１】
前記複数の第１系列の液晶バリアは、複数のバリアグループにグループ分けされ、
前記３次元映像表示モードでは、前記複数の第１系列の液晶バリアは、バリアグループごとに、時分割的に透過状態および遮断状態との間で切り換わる
請求項１０に記載の表示装置。
【請求項１２】
バックライトをさらに備え、
前記表示部は液晶表示部であり、
前記バリア部は、前記バックライトと前記液晶表示部との間に配置されている
請求項１に記載の表示装置。
【請求項１３】
バックライトをさらに備え、
前記表示部は液晶表示部であり、
前記液晶表示部は、前記バックライトと前記バリア部との間に配置されている
請求項１に記載の表示装置。
【請求項１４】
光を透過および遮断する、第１の方向に延伸し前記第１の方向と交差する第２の方向に並設された複数の液晶バリアを有するバリア部を備え、
前記バリア部は、
液晶層と、
各液晶バリアに対応する領域に設けられた第１の電極と、
複数の前記第１の電極と前記液晶層との間に、複数の前記第１の電極と対向して共通に設けられた第２の電極と
を有し、
前記第２の電極は、前記第２の方向に並設された複数のスリット配列領域を含み、
各スリット配列領域には、同じ方向に延伸する複数のスリットが並設されている
バリア装置。
【請求項１５】
表示装置と
前記表示装置を利用した動作制御を行う制御部と
を備え、
前記表示装置は、
映像を表示する表示部と、
光を透過および遮断する、第１の方向に延伸し前記第１の方向と交差する第２の方向に並設された複数の液晶バリアを有するバリア部と
を有し、
前記バリア部は、
液晶層と、
各液晶バリアに対応する領域に設けられた第１の電極と、
複数の前記第１の電極と前記液晶層との間に、複数の前記第１の電極と対向して共通に設けられた第２の電極と
を含み、
前記第２の電極は、前記第２の方向に並設された複数のスリット配列領域を含み、
各スリット配列領域には、同じ方向に延伸する複数のスリットが並設されている
電子機器。
【発明の詳細な説明】
【技術分野】
【０００１】
本開示は、立体視表示が可能な表示装置、そのような表示装置に用いられるバリア装置、ならびにそのような表示装置を含んで構成される電子機器に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、パララックスバリア（視差バリア）方式や、レンチキュラーレンズ方式などがある。これらの方式では、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【先行技術文献】
【特許文献】
【０００４】
【特許文献１】特開平３−１１９８８９号公報
【発明の概要】
【発明が解決しようとする課題】
【０００５】
ところで、一般に、表示装置では高画質が望まれ、立体視表示を実現できる表示装置でも同様に、高画質の実現が期待されている。
【０００６】
本開示はかかる問題点に鑑みてなされたもので、その目的は、画質を高めることができる表示装置、バリア装置、および電子機器を提供することにある。
【課題を解決するための手段】
【０００７】
本開示の表示装置は、表示部と、バリア部とを備えている。表示部は、映像を表示するものである。バリア部は、光を透過および遮断する、第１の方向に延伸し第１の方向と交差する第２の方向に並設された複数の液晶バリアを有するものである。上記バリア部は、液晶層と、各液晶バリアに対応する領域に設けられた第１の電極と、複数の第１の電極と液晶層との間に、複数の第１の電極と対向して共通に設けられた第２の電極とを有し、第２の電極は、第２の方向に並設された複数のスリット配列領域を含み、各スリット配列領域には、同じ方向に延伸する複数のスリットが並設されている。
【０００８】
本開示のバリア装置は、光を透過および遮断する、第１の方向に延伸し第１の方向と交差する第２の方向に並設された複数の液晶バリアを有するバリア部を備えている。上記バリア部は、液晶層と、各液晶バリアに対応する領域に設けられた第１の電極と、複数の第１の電極と液晶層との間に、複数の第１の電極と対向して共通に設けられた第２の電極とを有し、第２の電極は、第２の方向に並設された複数のスリット配列領域を含み、各スリット配列領域には、同じ方向に延伸する複数のスリットが並設されている。
【０００９】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１０】
本開示の表示装置、バリア装置、および電子機器では、複数の第１の電極と対向して共通に設けられた第２の電極が、その複数の第１の電極と液晶層の間に形成される。この第２の電極には、複数のスリット配列領域が、第２の方向に並設されている。
【発明の効果】
【００１１】
本開示の表示装置、バリア装置、および電子機器によれば、複数の第１の電極と液晶層の間に形成された第２の電極において、複数のスリット配列領域を第２の方向に並設したので、画質を高めることができる。
【図面の簡単な説明】
【００１２】
【図１】本開示の実施の形態に係る立体表示装置の一構成例を表すブロック図である。
【図２】図１に示した立体表示装置の一構成例を表す説明図である。
【図３】図１に示した表示駆動部の一構成例を表すブロック図である。
【図４】図１に示した表示部の一構成例を表す説明図である。
【図５】図４に示したサブ画素の一構成例を表す回路図である。
【図６】図１に示したバリア部の一構成例を表す説明図である。
【図７】図６に示した透明電極層の一構成例を表す平面図である。
【図８】図６に示した開閉部のグループ構成例を表す説明図である。
【図９】図１に示した表示部およびバリア部の関係を表す模式図である。
【図１０】図１に示した立体表示装置の一動作例を表す模式図である。
【図１１】図７に示したスリット配列領域の境界を表す説明図である。
【図１２】図７に示したスリット配列領域の間隔を表す説明図である。
【図１３】比較例１に係る透明電極層の一構成例を表す断面図である。
【図１４】図１３に示した透明電極層の一構成例を表す平面図である。
【図１５】図１３に示したスリット配列領域の間隔を表す説明図である。
【図１６】比較例２に係る透明電極層の一構成例を表す平面図である。
【図１７】比較例２に係る立体表示装置におけるモアレを説明するための説明図である。
【図１８】実施の形態の変形例に係る透明電極層の一構成例を表す平面図である。
【図１９】実施の形態の他の変形例に係る透明電極層の一構成例を表す平面図である。
【図２０】実施の形態の他の変形例に係る透明電極層の一構成例を表す平面図である。
【図２１】実施の形態に係る立体表示装置が適用されたテレビジョン装置の外観構成を表す斜視図である。
【図２２】変形例に係る立体表示装置の一構成例を表す説明図である。
【図２３】図２２に示した立体表示装置の一動作例を表す模式図である。
【発明を実施するための形態】
【００１３】
以下、本開示の実施の形態について、図面を参照して詳細に説明する。なお、説明は以下の順序で行う。
１．実施の形態
２．適用例
【００１４】
＜１．実施の形態＞
［構成例］
（全体構成例）
図１は、実施の形態に係る立体表示装置１の一構成例を表すものである。立体表示装置１は、液晶バリアを用いた、パララックスバリア方式の表示装置である。なお、本開示の実施の形態に係る表示方法は、本実施の形態により具現化されるので、併せて説明する。立体表示装置１は、制御部４０と、バックライト駆動部４３と、バックライト３０と、バリア駆動部４１と、バリア部１０と、表示駆動部５０と、表示部２０とを備えている。
【００１５】
制御部４０は、外部より供給される映像信号Ｓdispに基づいて、バックライト駆動部４３、バリア駆動部４１、および表示駆動部５０に対してそれぞれ制御信号を供給し、これらがお互いに同期して動作するように制御する回路である。具体的には、制御部４０は、バックライト駆動部４３に対してバックライト制御信号を供給し、バリア駆動部４１に対してバリア制御信号を供給し、表示駆動部５０に対して映像信号Ｓdispに基づいて生成した映像信号Ｓdisp2を供給するようになっている。ここで、映像信号Ｓdisp2は、立体表示装置１が通常表示（２次元表示）を行う場合には、１つの視点映像を含む映像信号Ｓ２Ｄであり、立体表示装置１が立体視表示を行う場合には、後述するように、複数（この例では８つ）の視点映像を含む映像信号Ｓ３Ｄである。
【００１６】
バックライト駆動部４３は、制御部４０から供給されるバックライト制御信号に基づいてバックライト３０を駆動するものである。バックライト３０は、バリア部１０および表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１７】
バリア駆動部４１は、制御部４０から供給されるバリア制御信号に基づいて、バリア部１０を駆動するものである。バリア部１０は、入射した光を透過（開動作）または遮断（閉動作）するものであり、液晶を用いて構成された複数の開閉部１１，１２（後述）を有している。
【００１８】
表示駆動部５０は、制御部４０から供給される映像信号Ｓdisp2に基づいて表示部２０を駆動するものである。表示部２０は、この例では液晶表示部であり、液晶表示素子を駆動して、入射した光を変調することにより表示を行うようになっている。
【００１９】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、バリア部１０、表示部２０の順に配置されている。つまり、バックライト３０から射出した光は、バリア部１０および表示部２０を介して、観察者に届くようになっている。
【００２０】
（表示駆動部５０および表示部２０）
図３は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓdisp2に基づいて映像信号Ｓdisp3を生成し、データドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓdisp3に基づく画素信号を供給するものである。具体的には、データドライバ５３は、映像信号Ｓdisp3に基づいてＤ／Ａ（デジタル／アナログ）変換を行うことにより、アナログ信号である画素信号を生成し、各画素Ｐixへ供給するようになっている。
【００２１】
図４は、表示部２０の一構成例を表すものであり、（Ａ）は画素Ｐixの配列を示し、（Ｂ）は表示部２０の断面構成を示す。
【００２２】
図４（Ａ）に示したように、表示部２０には、画素Ｐixがマトリクス状に配置されている。各画素Ｐixは、赤色（Ｒ）、緑色（Ｇ）、青色（Ｂ）にそれぞれ対応する３つのサブ画素ＳＰixを有している。サブ画素ＳＰix間には、いわゆるブラックマトリクスＢＭが形成され、入射した光が遮光されるようになっている。これにより、表示部２０では、赤色（Ｒ）、緑色（Ｇ）、青色（Ｂ）の混色がおこりにくくなっている。
【００２３】
表示部２０は、図４（Ｂ）に示したように、駆動基板２０７と対向基板２０８との間に、液晶層２０３を封止したものである。駆動基板２０７は、透明基板２０１と、画素電極２０２と、偏光板２０６ａとを有している。透明基板２０１は、ＴＦＴ素子を含む画素駆動回路（図示せず）が形成されたものであり、この透明基板２０１上には、サブ画素ＳＰix毎に画素電極２０２が配設されている。そして、透明基板２０１の、画素電極２０２が配設された面とは反対の面には、偏光板２０６ａが貼り付けられている。対向基板２０８は、透明基板２０５と、対向電極２０４と、偏光板２０６ｂとを有している。透明基板２０５には、図示しないカラーフィルタやブラックマトリクスＢＭが形成されており、更に液晶層２０３側の面には、対向電極２０４が各サブ画素ＳＰixに共通の電極として配設されている。透明基板２０５の、対向電極２０４が配設された面とは反対の面には、偏光板２０６ｂが貼り付けられている。偏光板２０６ａおよび偏光板２０６ｂは、互いにクロスニコルまたはパラレルニコルとなるように貼り合わせられている。
【００２４】
図５は、サブ画素ＳＰixの回路図の一例を表すものである。サブ画素ＳＰixは、ＴＦＴ（Thin Film Transistor）素子Ｔｒと、液晶素子ＬＣと、保持容量素子Ｃとを備えている。ＴＦＴ素子Ｔｒは、例えばＭＯＳ（Metal Oxide Semiconductor）型のＦＥＴ（Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００２５】
（バリア部１０）
バリア部１０は、いわゆるパララックスバリアであり、いわゆる横電界によって液晶を駆動させるＦＦＳ（フリンジフィールドスイッチング）方式の液晶バリアにより構成されるものである。以下に、その詳細を説明する。
【００２６】
図６は、バリア部１０の一構成例を表すものであり、（Ａ）はバリア部１０の平面図を示し、（Ｂ）は（Ａ）のバリア部１０におけるＶＩ−ＶＩ矢視方向の断面構成を示す。
【００２７】
バリア部１０は、図６（Ａ）に示したように、光を透過または遮断する複数の開閉部（液晶バリア）１１，１２を有している。開閉部１１，１２は、ＸＹ平面における一方向（この例では、垂直方向Ｙから所定の角度θをなす方向）に延在して設けられるとともに、水平方向Ｘにおいて交互に配置されている。この例では、開閉部１１の幅Ｗ１１および開閉部１２の幅Ｗ１２は、互いにほぼ等しく、サブ画素ＳＰixの幅（水平方向Ｘの幅）と同程度になっている。なお、開閉部１１，１２の幅の大小関係はこれに限定されず、Ｗ１１＞Ｗ１２であってもよく、またＷ１１＜Ｗ１２であってもよい。
【００２８】
バリア部１０は、図６（Ｂ）に示したように、駆動基板３１０と、対向基板３２０との間に液晶層３００を備えたものである。
【００２９】
駆動基板３１０は、透明基板３１１と、透明電極層３１２と、絶縁層３１３と、透明電極層３１４と、配向膜３１５と、偏光板３１６とを備えている。透明基板３１１は、例えばガラス等から構成されるものである。そしてその上には、図示しない平坦絶縁膜を介して透明電極層３１２が形成されている。この透明電極層３１２は、例えばＩＴＯ（Indium Tin Oxide）等の透明導電膜により構成されている。透明電極層３１２には、開閉部１１に対応する領域に透明電極１１０が形成されるとともに、開閉部１２に対応する領域に透明電極１２０が形成されている。この透明電極層３１２の上には、絶縁層３１３が形成されている。絶縁層３１３は、例えば、ＳｉＮや有機樹脂などにより構成される。その絶縁層３１３の上には、透明電極層３１４が形成されている。この透明電極層３１４は、透明電極層３１２と同様に、例えばＩＴＯ等の透明導電膜により構成されている。透明電極層３１４には、透明電極１３０が全面にわたって形成されている。この透明電極１３０には、後述するように、複数のスリットＳＬが形成されている。そして透明電極層３１４の上には、配向膜３１５が形成されている。駆動基板３１０の、これらの透明電極層３１２，３１４などが形成された面とは反対の面には、偏光板３１６が貼り付けられている。
【００３０】
対向基板３２０は、透明基板３２１と、配向膜３２５と、偏光板３２６とを備えている。透明基板３２１は、透明基板３１１と同様に、例えばガラス等から構成されるものである。この透明基板３２１の上には、配向膜３２５が形成されている。対向基板３２０の、配向膜３２５が形成された面とは反対の面には、偏光板３２６が貼り付けられている。偏光板３１６および偏光板３２６は、互いにクロスニコルになるように貼り合わせられている。具体的には、例えば、偏光板３１６の透過軸は水平方向Ｘに配置され、偏光板３２６の透過軸は垂直方向Ｙに配置されている。
【００３１】
液晶層３００は、このＦＦＳ方式に用いられる、駆動基板３１０に平行な方向の電界（いわゆる横電界）により動作する液晶である。この液晶としては、誘電率異方性が正（例えばΔε＝５．２）の液晶を用いることができる。この液晶層３００は、ノーマリーブラック動作を行うものである。つまり、開閉部１１，１２は、駆動されていない状態では光を遮断するものとする。
【００３２】
図７は、バリア部１０における透明電極層３１２，３１４の一構成例を表すものであり、（Ａ）は透明電極層３１４における透明電極１３０の一構成例を示し、（Ｂ）は透明電極層３１２における透明電極１１０，１２０の一構成例を示す。
【００３３】
透明電極１３０は、図７（Ａ）に示したように、全面にわたって形成されている。また、透明電極１１０は、図７（Ｂ）に示したように、開閉部１１に対応する領域内に形成され、同様に、透明電極１２０は、開閉部１２に対応する領域内に形成されている。すなわち、透明電極１１０，１２０は、開閉部１１，１２の延伸方向と同じ方向に延伸するように形成されている。
【００３４】
透明電極１３０には、透明電極１１０に対応する領域内、および透明電極１２０に対応する領域内のそれぞれにおいて、水平方向Ｘに並設されたスリット配列領域７１，７２が設けられている。そして、各スリット配列領域７１，７２には、複数のスリットＳＬが透明電極１１０，１２０の延伸方向に並んで設けられている。スリット配列領域７１におけるスリットＳＬは、水平方向Ｘから反時計まわりに所定の角度φ（例えば５度）だけ回転させた方向に延伸しており、スリット配列領域７２におけるスリットＳＬは、水平方向Ｘから時計まわりに所定の角度φ（例えば５度）だけ回転させた方向に延伸している。なお、この図では、スリットＳＬは４つのコーナーを有する長方形の形状としたが、これに限定されるものではなく、これに代えて、例えばこれらのコーナーが丸く形成されていてもよい。
【００３５】
この例では、透明電極層３１２の透明電極１１０，１２０には、選択的に電圧が印加され、透明電極層３１４の透明電極１１０，１２０には、直流の共通電圧Ｖcom（例えば０Ｖ）が印加される。
【００３６】
このような構成により、開閉部１１に係る液晶層３００では、透明電極１１０，１３０の間の電位差により、スリットＳＬを介して透明電極１１０，１３０間に電気力線が生じ、液晶層３００に横電界が発生する。同様に、開閉部１２に係る液晶層３００では、透明電極１２０，１３０の間の電位差により、スリットＳＬを介して透明電極１２０，１３０間に電気力線が生じ、液晶層３００に横電界が発生する。そして、この横電界に応じて、液晶層３００の液晶分子の向きが変化することにより、開閉部１１，１２における光の透過率が変化する。このようにして、開閉部１１，１２は開閉動作を行うようになっている。
【００３７】
これらの開閉部１１，１２は、立体表示装置１が通常表示（２次元表示）および立体視表示のどちらを行うかにより、異なる動作を行う。すなわち、開閉部１１は、後述するように、通常表示を行う際には開状態（透過状態）になり、立体視表示を行う際には、閉状態（遮断状態）になる。一方、開閉部１２は、後述するように、通常表示を行う際には開状態（透過状態）になり、立体視表示を行う際には、時分割的に開状態（透過状態）になる。具体的には、開閉部１２は、複数のグループにグループ分けされており、立体視表示を行う際、同じグループに属する複数の開閉部１２が、同じタイミングで開動作および閉動作を行うようになっている。以下に、開閉部１２のグループについて説明する。
【００３８】
図８は、開閉部１２のグループ構成例を表すものである。開閉部１２は、この例では４つのグループＡ〜Ｄにグループ分けされている。具体的には、図８に示したように、グループＡを構成する開閉部１２（開閉部１２Ａ）と、グループＢを構成する開閉部１２（開閉部１２Ｂ）と、グループＣを構成する開閉部１２（開閉部１２Ｃ）と、グループＤを構成する開閉部１２（開閉部１２Ｄ）とが、この順で巡回するように配置されている。
【００３９】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａを同時に開閉し、次にグループＢに属する複数の開閉部１２Ｂを同時に開閉し、次にグループＣに属する複数の開閉部１２Ｃを同時に開閉し、次にグループＤに属する複数の開閉部１２Ｄを同時に開閉することにより、開閉部１２Ａ〜１２Ｄを時分割的に巡回して開閉動作するように駆動する。
【００４０】
図９は、立体視表示を行う場合のバリア部１０の状態を、断面構造を用いて模式的に表すものである。この例では、開閉部１２Ａは、表示部２０の８つのサブ画素ＳＰixに１つの割合で設けられている。同様に、開閉部１２Ｂ，１２Ｃ，１２Ｄは、それぞれ、表示部２０の８つのサブ画素ＳＰixに１つの割合で設けられている。なお、これに限定されるものではなく、開閉部１２Ａ〜１２Ｄを、表示部２０の８つのサブ画素ＳＰixに１つの割合ではなく、８つの画素Ｐixに１つの割合でそれぞれ設けてもよい。図９では、バリア部１０の開閉部１１，１２（１２Ａ〜１２Ｄ）のうち、光が遮断される開閉部を斜線で示している。
【００４１】
立体表示装置１では、立体視表示を行う場合には、表示駆動部５０に映像信号Ｓ３Ｄが供給され、表示部２０はそれに基づいて表示を行う。そして、バリア部１０では、開閉部１１が閉状態（遮断状態）を維持するとともに、表示部２０の表示に同期して開閉部１２（開閉部１２Ａ〜１２Ｄ）が時分割的に開閉動作を行う。
【００４２】
具体的には、バリア駆動部４１が開閉部１２Ａを開状態（透過状態）にした場合には、表示部２０では、図９（Ａ）に示したように、この開閉部１２Ａに対応した位置に配置された互いに隣接する８つのサブ画素ＳＰixが、８つの視点映像に対応する画素情報Ｐ１〜Ｐ８を表示する。同様に、バリア駆動部４１が開閉部１２Ｂを開状態（透過状態）にした場合には、表示部２０では、図９（Ｂ）に示したように、この開閉部１２Ｂに対応した位置に配置された互いに隣接する８つのサブ画素ＳＰixが、８つの視点映像に対応する画素情報Ｐ１〜Ｐ８を表示する。また、バリア駆動部４１が開閉部１２Ｃを開状態（透過状態）にした場合には、表示部２０では、図９（Ｃ）に示したように、この開閉部１２Ｃに対応した位置に配置された互いに隣接する８つのサブ画素ＳＰixが、８つの視点映像に対応する画素情報Ｐ１〜Ｐ８を表示する。そして、バリア駆動部４１が開閉部１２Ｄを開状態（透過状態）にした場合には、表示部２０では、図９（Ｄ）に示したように、この開閉部１２Ｄに対応した位置に配置された互いに隣接する８つのサブ画素ＳＰixが、８つの視点映像に対応する画素情報Ｐ１〜Ｐ８を表示する。
【００４３】
これにより、観察者は、後述するように、例えば左眼と右眼とで異なる視点映像を見ることができ、表示された映像を立体的な映像として感じるようになっている。立体表示装置１では、このように、開閉部１２Ａ〜１２Ｄを時分割的に切り換えて開閉し映像を表示することにより、後述するように、表示装置の解像度を高めることができるようになっている。
【００４４】
なお、通常表示（２次元表示）を行う場合には、表示部２０は、映像信号Ｓ２Ｄに基づいて通常の２次元映像を表示し、バリア部１０では、開閉部１１および開閉部１２（開閉部１２Ａ〜１２Ｄ）は全て開状態（透過状態）を維持するようになっている。これにより、観察者は、表示部２０に表示された通常の２次元映像をそのまま見ることができる。
【００４５】
ここで、開閉部１１，１２は、本開示における「液晶バリア」の一具体例に対応する。開閉部１２は、本開示における「第１系列の液晶バリア」の一具体例に対応し、開閉部１１は、本開示における「第２系列の液晶バリア」の一具体例に対応する。透明電極１１０，１２０は、本開示における「第１の電極」の一具体例に対応する。透明電極１３０は、本開示における「第２の電極」の一具体例に対応する。
【００４６】
［動作および作用］
続いて、本実施の形態の立体表示装置１の動作および作用について説明する。
【００４７】
（全体動作概要）
まず、図１などを参照して、立体表示装置１の全体動作概要を説明する。制御部４０は、外部より供給される映像信号Ｓdispに基づいて、バックライト駆動部４３、バリア駆動部４１、および表示駆動部５０を制御する。バックライト駆動部４３は、制御部４０から供給されるバックライト制御信号に基づいてバックライト３０を駆動する。バックライト３０は、面発光した光をバリア部１０に対して射出する。バリア駆動部４１は、制御部４０から供給されるバリア制御信号に基づいてバリア部１０を制御する。バリア部１０の開閉部１１，１２は、バリア駆動部４１からの指示に基づいて開閉動作を行う。表示駆動部５０は、制御部４０から供給される映像信号Ｓdisp2に基づいて表示部２０を駆動する。表示部２０は、バックライト３０から射出し、バリア部１０の開閉部１１，１２を透過した光を変調することにより表示を行う。
【００４８】
次に、立体視表示を行う場合の詳細動作を説明する。
【００４９】
図１０は、バリア駆動部４１が開閉部１２Ａを開状態（透過状態）にした場合の、表示部２０およびバリア部１０の動作例を表すものである。この場合には、開閉部１２Ａが開状態（透過状態）になるとともに、開閉部１２Ｂ〜１２Ｄが閉状態（遮断状態）になり、表示部２０は、映像信号Ｓ３Ｄに含まれる８つの視点映像のそれぞれに対応する画素情報Ｐ１〜Ｐ８を、開閉部１２Ａ付近に配置されたサブ画素ＳＰixにそれぞれ表示する。これにより、画素情報Ｐ１〜Ｐ８に対応する光は、それぞれ角度が制限されて出力される。よって、例えば、立体表示装置１の表示画面の正面から観察する観察者は、左眼で画素情報Ｐ５を、右眼で画素情報Ｐ４を見ることにより、立体的な映像を見ることができる。なお、ここでは、バリア駆動部４１が開閉部１２Ａを開状態にした場合について説明したが、開閉部１２Ｂ〜１２Ｄを開状態にした場合についても同様である。
【００５０】
このように、観察者は、左眼と右眼とで、画素情報Ｐ１〜Ｐ８のうちの異なる画素情報を見ることとなり、観察者は立体的な映像として感じることができる。また、開閉部１２Ａ〜１２Ｄを時分割的に順次開閉して映像を表示することにより、観察者は、互いにずれた位置に表示される映像を平均化して見ることとなる。よって、立体表示装置１は、開閉部１２Ａのみをもつ場合に比べ、４倍の解像度を実現することが可能となる。言い換えれば、立体表示装置１の解像度は、２次元表示の場合に比べ１／２（＝１／８×４）で済むこととなる。
【００５１】
（画質について）
立体表示装置１では、ＦＦＳ方式の液晶バリアによりバリア部１０を構成している。これにより、立体表示装置１は、しばしば使用されるＦＦＳ方式の液晶表示装置などと同様に、広い視野角を実現することができる。
【００５２】
また、立体表示装置１では、バリア部１０において、透明電極１３０にスリットＳＬを設けるようにしたので、バリア部１０における光の透過率の低下を抑えることができる。
【００５３】
図１１は、スリット配列領域７１，７２の境界を表すものである。この例では、説明の便宜上、開閉部１１，１２は全て開状態（透過状態）とする。この状態でも、互いに隣り合うスリット配列領域７１，７２の境界部分（領域境界線Ｌ１，Ｌ２付近）では、液晶層３００における液晶の配向が不十分になるため、十分に光を透過することができない。すなわち、この境界部分は、いわゆる暗線となる。
【００５４】
図１２は、図１１に示した透明電極層３１４の領域Ｄ１の部分を拡大して表すものである。図１２に示したように、バリア部１０では、開閉部１１，１２間（透明電極１１０に対応する領域と透明電極１２０に対応する領域との間）において、スリット配列領域７２とスリット配列領域７１とが、間隔Ｉだけ離れて設けられている。バリア部１０では、透明電極１３０にスリットＳＬを設けるようにしたので、後述するように、この間隔Ｉを狭めることができる。これにより、この境界部分（領域境界線Ｌ２付近）の暗線の幅を狭めることができ、光の透過率の低下を抑えることができる。
【００５５】
また、立体表示装置１では、バリア部１０において、スリット配列領域７１，７２を水平方向Ｘに並設している。これにより、立体表示装置１は、モアレを低減することができる。すなわち、上述した領域境界線Ｌ１，Ｌ２の暗線と、表示部２０のブラックマトリクスＢＭとの干渉により、モアレが発生するおそれがあるが、スリット配列領域７１，７２を水平方向Ｘに並設したので、以下に比較例を用いて説明するように、モアレの発生を抑えることができる。
【００５６】
次に、いくつかの比較例と対比して、本実施の形態の作用を説明する。
【００５７】
（比較例１）
まず、比較例１に係る立体表示装置１Ｒについて説明する。この立体表示装置１Ｒは、透明電極層３１２，３１４における透明電極の構成が、本実施の形態の場合と異なるものである。すなわち、本実施の形態（図７）では、透明電極層３１２において、開閉部１１，１２に対応するように透明電極１１０，１２０を設けたが、これに代えて、本比較例では、透明電極層３１４において、開閉部１１，１２に対応するように透明電極を設けている。その他の構成は、本実施の形態（図１）と同様である。
【００５８】
図１３は、本比較例１に係るバリア部１０Ｒにおける断面構成を表すものである。バリア部１０Ｒは、駆動基板３１０Ｒを備えている。この駆動基板３１０Ｒでは、透明電極層３１２には、透明電極１３０Ｒが全面にわたって形成されている。また、透明電極層３１４には、開閉部１１に対応する領域に透明電極１１０Ｒが形成されるとともに、開閉部１２に対応する領域に透明電極１２０Ｒが形成されている。この透明電極１１０Ｒ，１２０Ｒには、後述するように、複数のスリットＳＬが形成されている。
【００５９】
図１４は、バリア部１０Ｒの透明電極層３１４の一構成例を表すものである。透明電極１１０Ｒ，１２０Ｒのそれぞれには、水平方向Ｘに並設されたスリット配列領域７１Ｒ，７２Ｒが設けられており、各スリット配列領域７１Ｒ，７２Ｒには、複数のスリットＳＬが透明電極１１０Ｒ，１２０Ｒの延伸方向に並んで設けられている。透明電極層３１２の透明電極１３０Ｒには、直流の共通電圧Ｖcom（例えば０Ｖ）が印加され、透明電極層３１４の透明電極１１０Ｒ，１２０Ｒには、選択的に電圧が印加される。
【００６０】
図１５は、図１４に示した透明電極層３１４の領域ＤＲの部分を拡大して表すものである。図１５に示したように、バリア部１０Ｒでは、開閉部１１，１２間（透明電極１１０Ｒ，１２０Ｒ間）において、スリット配列領域７２Ｒとスリット配列領域７１Ｒとが、間隔ＩＲだけ離れて設けられている。この間隔ＩＲは、３つの間隔ＩＲ１，ＩＲ２，ＩＲ３により構成される。すなわち、間隔ＩＲ１は、透明電極１１０Ｒにおいて、スリット配列領域７２Ｒの右端と透明電極１１０Ｒの右端との間隔であり、間隔ＩＲ３は、透明電極１２０Ｒにおいて、スリット配列領域７２Ｌの左端と透明電極１２０Ｒの左端との間隔である。また、間隔ＩＲ２は、透明電極１１０Ｒと透明電極１２０Ｒとの間隔である。これらの間隔ＩＲ１〜ＩＲ３の最小値は、設計ルールにより定められている。具体的には、間隔ＩＲ１，ＩＲ３の最小値は、透明電極層３１４における線幅の最小値により制限され、間隔ＩＲ２の最小値は、透明電極層３１４におけるスペースの最小値により制限される。よって、この間隔ＩＲ（ＩＲ１＋ＩＲ２＋ＩＲ３）の最小値は、これらの３つの設計ルールにより制限されるため、十分に間隔を狭めることができないおそれがある。例えば、透明電極層３１４における線幅の最小値とスペースの最小値が互いにほぼ等しい場合には、この間隔ＩＲは、透明電極１１０Ｒ，１２０Ｒの間隔ＩＲ２の３倍程度になる。この場合には、この領域（領域境界線Ｌ２付近）における暗線の幅が太くなるため、光の透過率が低下してしまう。
【００６１】
一方、本実施の形態に係るバリア部１０では、透明電極層３１４の透明電極１３０にスリットＳＬを設けるようにしたので、スリット配列領域７２とスリット配列領域７１との間の間隔Ｉを小さくすることができる。すなわち、透明電極１３０は、全面にわたって形成されているので、間隔Ｉは、透明電極層３１４における線幅の最小値のみにより制限されることとなる。例えば、透明電極層３１２，３１４における線幅の最小値とスペースの最小値が互いにほぼ等しい場合には、この間隔Ｉは、透明電極１１０，１２０の間隔と同程度にすることができる。つまり、バリア部１０では、間隔Ｉを、比較例に係る間隔ＩＲに比べて小さくすることができる。これにより、この領域（領域境界線Ｌ２付近）における暗線の幅を狭くすることができ、光の透過率の低下を抑えることができる。
【００６２】
また、領域境界線Ｌ２の暗線の幅を狭め、領域境界線Ｌ１の暗線の幅と同程度にした場合には、後述するように、モアレが発生するおそれを低減することができる。
【００６３】
（比較例２）
次に、比較例２に係る立体表示装置１Ｓについて説明する。この立体表示装置１Ｓは、透明電極層３１４におけるスリット配列領域の配置が、本実施の形態とは異なるものである。すなわち、本実施の形態（図７）では、透明電極層３１４において、スリット配列領域７１，７２を水平方向Ｘに並設したが、これに代えて、本比較例では、スリット配列領域を透明電極の延伸方向に並設している。その他の構成は、本実施の形態（図１）と同様である。
【００６４】
図１６は、本比較例に係るバリア部１０Ｓにおける透明電極層３１４の一構成例を表すものである。透明電極層３１４には、図１６に示したように、透明電極１３０Ｓが全面にわたって形成されている。そして、透明電極１３０Ｓには、透明電極１１０に対応する領域内、および透明電極１２０に対応する領域内のそれぞれにおいて、透明電極１１０，１２０の延伸方向に交互に並設されたスリット配列領域７３Ｓ，７４Ｓが設けられている。スリット配列領域７３ＳにおけるスリットＳＬは、水平方向Ｘから反時計まわりに所定の角度（例えば５度）だけ回転させた方向に延伸しており、スリット配列領域７４ＳにおけるスリットＳＬは、水平方向Ｘから時計まわりに所定の角度（例えば５度）だけ回転させた方向に延伸している。
【００６５】
この例でも、水平方向Ｘに互いに隣り合うスリット配列領域７３Ｓ，７４Ｓの境界部分（領域境界線Ｌ３付近）、および透明電極１１０，１２０の延伸方向に互いに隣り合うスリット配列領域７３Ｓ，７４Ｓの境界部分（領域境界線Ｌ４付近）では、液晶層３００における液晶の配向が不十分になるため、十分に光を透過することができず、暗線となる。すなわち、バリア部１０Ｓでは、上記実施の形態に係るバリア部１０の場合（図１１）と異なり、透明電極１１０，１２０の延伸方向に延びる領域境界線Ｌ３に加え、水平方向Ｘに延びる領域境界線Ｌ４もまた暗線となる。
【００６６】
図１７（Ａ）は、表示部２０のブラックマトリクスＢＭと、バリア部１０Ｓの領域境界線の相対関係を表すものであり、図１７（Ｂ）は、表示画面に現れるモアレを表すものである。この図１３では、説明の便宜上、表示部２０におけるブラックマトリクスＢＭのうち、水平方向Ｘに延びるブラックマトリクス（遮光線ＬＢＭ）のみを示すとともに、バリア部１０Ｓにおける領域境界線のうち、水平方向Ｘに延びる領域境界線Ｌ４のみを示している。
【００６７】
図１７（Ａ）に示したように、表示部２０の遮光線ＬＢＭと、バリア部１０Ｓの領域境界線Ｌ４とは、ともに立体表示装置１Ｓの表示画面内において水平方向Ｘに延びている。また、表示部２０およびバリア部１０Ｒは、図２に示したように、観察者が立体表示装置１Ｓを観察するときの奥行き方向に並んで配置されている。これにより、立体表示装置１Ｓと観察者との位置関係によっては、垂直方向Ｙの方向における、遮光線ＬＢＭの配置周期と領域境界線Ｌ４の配置周期との間にずれが生じ、観察者は、図１７（Ｂ）に示したようなモアレを観察するおそれがある。具体的には、例えば、領域境界線Ｌ４と遮光線ＬＢＭがほぼ重なっている表示画面領域では、明部Ｒ１になり、領域境界線Ｌ４と遮光線ＬＢＭとが大きくずれている表示画面領域は、暗部Ｒ２になる。このようにして、観察者は、明部Ｒ１と暗部Ｒ２の輝度差をモアレとして感じてしまう。
【００６８】
なお、この例では、表示部２０の遮光線ＬＢＭとバリア部１０Ｓの領域境界線Ｌ４に起因するモアレについて説明したが、その他、例えば、表示部２０におけるブラックマトリクスＢＭのうち、垂直方向Ｙに延びるものと、バリア部１０Ｓの領域境界線Ｌ３に起因するモアレも発生するおそれがある。
【００６９】
このように、本比較例２に係る立体表示装置１Ｓでは、図１６に示したように、スリット配列領域７３Ｓ，７４Ｓを透明電極１１０，１２０の延伸方向に交互に並設したので、水平方向Ｘに延びる領域境界線Ｌ４が生じてしまうため、その領域境界線Ｌ４と、水平方向Ｘに延びる表示部２０の遮光線ＬＢＭとの間で干渉することにより、モアレが生じてしまう。
【００７０】
一方、本実施の形態に係る立体表示装置１では、図７に示したように、スリット配列領域７１，７２を水平方向Ｘに並設している。これにより、透明電極１１０，１２０の延伸方向に延びる領域境界線Ｌ１，Ｌ２が生じ、水平方向Ｘに延びる領域境界線は生じないようにすることができる。また、比較例２の場合（図１６）と異なり、各透明電極１１０，１２０に対応する領域の中央にも、領域境界線Ｌ１が生じる（図１１）。よって、領域境界線Ｌ２の暗線の幅を狭め、領域境界線Ｌ１の暗線の幅と同程度にした場合には、同程度の幅の暗線の線密度が高くなることにより、モアレが発生するおそれを低減することができる。
【００７１】
［効果］
以上のように本実施の形態では、バリア部をＦＦＳ方式の液晶バリアにより構成したので、広い視野角を実現することができ、画質を高めることができる。
【００７２】
また、本実施の形態では、透明電極層３１４において透明電極１３０を全面にわたって形成するとともに、その透明電極１３０にスリットを設けたので、スリット配列領域間の間隔を小さくすることができる。これにより、光の透過率の低下を抑えることができるため、画質を高めることができる。
【００７３】
また、本実施の形態では、スリット配列領域を、各透明電極において水平方向に並設したので、モアレが発生するおそれを低減することができ、画質を高めることができる。
【００７４】
［変形例１−１］
上記実施の形態では、開閉部１１の幅と開閉部１２の幅を互いにほぼ等しくしたが、これに限定されるものではない。以下に、開閉部１１の幅が開閉部１２の幅の約２倍程度である場合について説明する。
【００７５】
図１８（Ａ）は、本変形例に係るバリア部１０Ａにおける透明電極１３０Ａの一構成例を表すものであり、図１４（Ｂ）は、透明電極１１０Ａ，１２０Ａの一構成例を表すものである。透明電極１１０Ａは、開閉部１１に対応する領域に形成されており、透明電極１２０Ａは、開閉部１２に対応する領域に形成されている。透明電極１３０Ａの透明電極１１０Ａに対応する領域には、水平方向Ｘに並設された４つのスリット配列領域７５〜７８が設けられ、透明電極１３０Ａの透明電極１２０Ａに対応する領域には、水平方向Ｘに並設された２つのスリット配列領域７１，７２が設けられている。この例では、スリット配列領域７１，７２，７５〜７８の水平方向Ｘの幅は、互いにほぼ等しくなっている。この場合でも、画質を高めることができる。
【００７６】
［変形例１−２］
上記実施の形態では、透明電極１３０の、透明電極１１０に対応する領域、および透明電極１２０に対応する領域のそれぞれにおいて、２つのスリット配列領域７１，７２を設けたが、これに限定されるものではなく、これに代えて、例えば、図１９に示したように、透明電極１３０Ｂの、透明電極１１０に対応する領域、および透明電極１２０に対応する領域のそれぞれにおいて、３以上のスリット配列領域を設けてもよい。この例では、透明電極１１０Ｂ，１２０Ｂのそれぞれにおいて４つのスリット配列領域７５〜７８を設けている。なお、視野角の対称性の観点から、スリットＳＬの向きが互いに異なる偶数個のスリット配列領域を設けることが望ましい。
【００７７】
［変形例１−３］
上記実施の形態では、透明電極１３０の、透明電極１１０に対応する領域、および透明電極１２０に対応する領域のそれぞれにおいて、２つのスリット配列領域７１，７２に係るスリットＳＬが収まるように配置したが、これに限定されるものではなく、これに代えて、例えば、図２０に示したように、透明電極１３０Ｃの、透明電極１１０に対応する領域、および透明電極１２０に対応する領域からはみ出すように配置してもよい。
【００７８】
＜２．適用例＞
次に、上記実施の形態および変形例で説明した立体表示装置の適用例について説明する。
【００７９】
図２１は、上記実施の形態等の立体表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る立体表示装置により構成されている。
【００８０】
上記実施の形態等の立体表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の立体表示装置は、映像を表示するあらゆる分野の電子機器に適用することが可能である。
【００８１】
以上、いくつかの実施の形態および変形例、ならびに電子機器への適用例を挙げて本技術を説明したが、本技術はこれらの実施の形態等には限定されず、種々の変形が可能である。
【００８２】
例えば、上記実施の形態等では、立体表示装置１，２のバックライト３０、バリア部１０、表示部２０は、この順に配置したが、これに限定されるものではなく、これに代えて、図２２に示したように、バックライト３０、表示部２０、バリア部１０の順に配置してもよい。
【００８３】
図２３は、本変形例に係る表示部２０およびバリア部１０の動作例を表すものである。この例は、バリア駆動部４１が開閉部１２Ａを開状態（透過状態）にした場合の、表示部２０およびバリア部１０の動作例を示している。本変形例では、バックライト３０から射出した光は、まず表示部２０に入射し、その後にバリア部１０に入射する。この場合でも、画素情報Ｐ１〜Ｐ８に対応する光は、それぞれ角度が制限されて出力される。
【００８４】
また、例えば、上記実施の形態等では、開閉部１２を４つのグループにグループ分けしたが、これに限定されるものではなく、３つ以下もしくは５つ以上のグループにグループ分けをしてもよい。また、開閉部１２をグループ分けしなくてもよい。この場合には、立体視表示の際には常に開状態（透過状態）になる。
【００８５】
また、例えば、上記実施の形態等では、立体視表示の際に８つの視点映像を表示するようにしたが、これに限定されるものではなく、７つ以下の視点映像や、９つ以上の視点映像を表示してもよい。この場合、図９に示したバリア部１０の開閉部１２Ａ〜１２Ｄと、サブ画素ＳＰixとの相対的な位置関係も変化する。すなわち、例えば、９つの視点映像を表示する場合には、開閉部１２Ａ〜１２Ｄのそれぞれは、表示部２０の９つのサブ画素ＳＰixに１つの割合で設けることが望ましい。
【００８６】
また、例えば、上記実施の形態等では、表示部２０は液晶表示部としたが、これに限定されるものではなく、これに代えて、例えば有機ＥＬ（Electro Luminescence）などを用いたＥＬ表示部であってもよい。この場合、例えば、図２２に示した構成において、バックライト３０を削除した構成を用いることができる。
【００８７】
なお、本技術は以下のような構成とすることができる。
【００８８】
（１）映像を表示する表示部と、
光を透過および遮断する、第１の方向に延伸し前記第１の方向と交差する第２の方向に並設された複数の液晶バリアを有するバリア部と
を備え、
前記バリア部は、
液晶層と、
各液晶バリアに対応する領域に設けられた第１の電極と、
複数の前記第１の電極と前記液晶層との間に、複数の前記第１の電極と対向して共通に設けられた第２の電極と
を有し、
前記第２の電極は、前記第２の方向に並設された複数のスリット配列領域を含み、
各スリット配列領域には、同じ方向に延伸する複数のスリットが並設されている
表示装置。
【００８９】
（２）各第１の電極は、互いに隣り合う所定数の前記スリット配列領域に対応する領域に形成されている
前記（１）に記載の表示装置。
【００９０】
（３）前記第２の方向において隣り合う前記スリット配列領域の間隔は、前記第２の方向において隣り合う前記第１の電極の間隔の３倍よりも短い
前記（２）に記載の表示装置。
【００９１】
（４）前記所定数のスリット配列領域に属する複数のスリットは、対応する前記第１の電極に相当する領域内に形成されている。
前記（２）または（３）に記載の表示装置。
【００９２】
（５）前記所定数のスリット配列領域に属する複数のスリットは、それぞれの一部が、対応する前記第１の電極に相当する領域からはみ出して形成されている。
前記（２）または（３）に記載の表示装置。
【００９３】
（６）前記所定数は偶数である
前記（２）から（５）のいずれかに記載の表示装置。
【００９４】
（７）一のスリット配列領域に属するスリットは、その一のスリット配列領域と隣り合うスリット配列領域に属するスリットと、異なる方向に延伸する
前記（１）から（６）のいずれかに記載の表示装置。
【００９５】
（８）各第１の電極にはバリア駆動信号が印加され
前記第２の電極には直流電圧が印加される
前記（１）から（７）のいずれかに記載の表示装置。
【００９６】
（９）前記表示部は液晶表示部であり、
前記バリア部は、複数の第１系列の液晶バリアおよび複数の第２系列の液晶バリアを有する
前記（１）から（８）のいずれかに記載の表示装置。
【００９７】
（１０）第１の表示モードおよび第２の表示モードを含む複数の表示モードを有し、
前記第１の表示モードでは、前記液晶表示部は複数の視点画像を表示し、前記バリア部は、前記複数の第１系列の液晶バリアを透過状態にするとともに、前記複数の第２系列の液晶バリアを遮断状態にすることにより、各視点画像からの光線または各視点画像に向かう光線を、それぞれ対応する角度方向に規制するように動作し、
前記第２の表示モードでは、前記液晶表示部は単一の視点画像を表示し、前記バリア部は、前記複数の第１系列の液晶バリアおよび前記複数の第２系列の液晶バリアを透過状態にすることにより、前記単一の視点画像からの光線または前記単一の視点画像に向かう光線をそのまま透過させるように動作する
前記（９）に記載の表示装置。
【００９８】
（１１）前記複数の第１系列の液晶バリアは、複数のバリアグループにグループ分けされ、
前記３次元映像表示モードでは、前記複数の第１系列の液晶バリアは、バリアグループごとに、時分割的に透過状態および遮断状態との間で切り換わる
前記（１０）に記載の表示装置。
【００９９】
（１２）バックライトをさらに備え、
前記表示部は液晶表示部であり、
前記バリア部は、前記バックライトと前記液晶表示部との間に配置されている
前記（１）から（１１）のいずれかに記載の表示装置。
【０１００】
（１３）バックライトをさらに備え、
前記表示部は液晶表示部であり、
前記液晶表示部は、前記バックライトと前記バリア部との間に配置されている
前記（１）から（１１）のいずれかに記載の表示装置。
【０１０１】
（１４）光を透過および遮断する、第１の方向に延伸し前記第１の方向と交差する第２の方向に並設された複数の液晶バリアを有するバリア部を備え、
前記バリア部は、
液晶層と、
各液晶バリアに対応する領域に設けられた第１の電極と、
複数の前記第１の電極と前記液晶層との間に、複数の前記第１の電極と対向して共通に設けられた第２の電極と
を有し、
前記第２の電極は、前記第２の方向に並設された複数のスリット配列領域を含み、
各スリット配列領域には、同じ方向に延伸する複数のスリットが並設されている
バリア装置。
【０１０２】
（１５）表示装置と
前記表示装置を利用した動作制御を行う制御部と
を備え、
前記表示装置は、
映像を表示する表示部と、
光を透過および遮断する、第１の方向に延伸し前記第１の方向と交差する第２の方向に並設された複数の液晶バリアを有するバリア部と
を有し、
前記バリア部は、
液晶層と、
各液晶バリアに対応する領域に設けられた第１の電極と、
複数の前記第１の電極と前記液晶層との間に、複数の前記第１の電極と対向して共通に設けられた第２の電極と
を含み、
前記第２の電極は、前記第２の方向に並設された複数のスリット配列領域を含み、
各スリット配列領域には、同じ方向に延伸する複数のスリットが並設されている
電子機器。
【符号の説明】
【０１０３】
１…立体表示装置、１０…バリア部、１１，１２，１２Ａ〜１２Ｄ…開閉部、２０…表示部、３０…バックライト、４０…制御部、４１…バリア駆動部、４３…バックライト駆動部、５０…表示駆動部、５１…タイミング制御部、５２…ゲートドライバ、５３…データドライバ、７１，７２，７５〜７８…スリット配列領域、１１０，１２０，１３０，１３０Ａ，１３０Ｂ，１３０Ｃ…透明電極、２０１，２０５…透明基板、２０２…画素電極、２０３…液晶層、２０４…対向電極、２０６ａ，２０６ｂ…偏光板、２０７…駆動基板、２０８…対向基板、３００…液晶層、３１１，３２１…透明基板、３１２，３１４，３３２…透明電極層、３１３…絶縁層、３１５，３２５…配向膜、３１６，３２６…偏光板、３１０，３３０…駆動基板、３２０…対向基板、ＢＭ…ブラックマトリクス、Ｃ…保持容量素子、Ｃｓ…保持容量線、Ｄ…データ線、ＬＣ…液晶素子、Ｌ１，Ｌ２…領域境界線、Ｐix…画素、Ｐ１〜Ｐ８…画素情報、Ｓdisp，Ｓdisp2，Ｓdisp3…映像信号、ＳＬ…スリット、ＳＰix…サブ画素、Ｔｒ…ＴＦＴ素子、Ｗ１，Ｗ２…幅。
【図１】
2013235159.tif 000003
【図２】
2013235159.tif 000004
【図３】
2013235159.tif 000005
【図４】
2013235159.tif 000006
【図５】
2013235159.tif 000007
【図６】
2013235159.tif 000008
【図７】
2013235159.tif 000009
【図８】
2013235159.tif 000010
【図９】
2013235159.tif 000011
【図１０】
2013235159.tif 000012
【図１１】
2013235159.tif 000013
【図１２】
2013235159.tif 000014
【図１３】
2013235159.tif 000015
【図１４】
2013235159.tif 000016
【図１５】
2013235159.tif 000017
【図１６】
2013235159.tif 000018
【図１７】
2013235159.tif 000019
【図１８】
2013235159.tif 000020
【図１９】
2013235159.tif 000021
【図２０】
2013235159.tif 000022
【図２１】
2013235159.tif 000023
【図２２】
2013235159.tif 000024
【図２３】
2013235159.tif 000025